(57)【要約】【課題】  カーテンの全てや一部分だけを必要な位置に好きな形で留めておくことを提供する。【解決手段】  クリップ本体と、該クリップ本体の狭持部に面接地で挟み込まれる被狭持片と、前記クリップ本体と前記被狭持片を連結するとともに任意量のカーテンを巻き込む長さよりなる連結紐とより構成されるカーテンの留め具。【選択図】  図１
2007007348.tif 000002
【特許請求の範囲】
【請求項１】
クリップ本体と、該クリップ本体の挟持部に面接地で挟み込まれる被挟持片と、前記クリップ本体と前記被挟持片を連結するとともに任意量のカーテンを巻き込む長さよりなる連結紐とより構成されるカーテンの留め具。
【請求項２】
クリップ本体の挟持部奥にカーテンを収納する形状のカーテン収納部を備えたことを特徴とする請求項１記載のカーテン留め具。
【請求項３】
クリップ本体と被挟持片との挟持部に凹凸や摩擦による抜け防止機構を備えたことを特徴とする請求項１又は２記載のカーテン留め具。
【請求項４】
カーテンの折り返し縫合により形成されたカーテン縁を重ねた状態で縁幅で挟持する挟持部を有する中間クリップを備えたことを特徴とする請求項１、２又は３記載のカーテン留め具。
【発明の詳細な説明】
【技術分野】
【０００１】  本発明は、カーテンを開ける時に、必要な位置に好きな形で留めることができる、カーテンの留め具に関するものである。
【背景技術】
【０００２】  従来、カーテンの留め具として、カーテンフックとベルトによりまとめて留めるか巻き上げるものがあった。
【発明の開示】
【発明が解決しようとする課題】
【０００３】  そのために、次の様な問題点があった。
日差しの多少や向きにあわせたり、視線を遮るためにカーテンの全てや一部分だけを必要な位置に好きな形で留めておくことができなかった。
本発明は以上の問題点を解決しようとするものである。
【課題を解決するための手段】
【０００４】  クリップ本体と、該クリップ本体の挟持部に面接地で挟み込まれる被挟持片と、前記クリップ本体と前記被挟持片を連結するとともに任意量のカーテンを巻き込む長さよりなる連結紐とより構成されるカーテンの留め具である。
【発明の効果】
【０００５】  本発明は、カーテンをまとめたい高さ及び横の位置でひとまとめにし、まとめたカーテンを連結紐でまとめ被挟持片をクリップで挟み留めておさえる。クリップ本体の挟持部奥にカーテン収納部を備えたことにより留め跡による皺が出来難く、カーテンの厚みや収納する量にも対応できる。クリップ本体、被挟持片、中間クリップに各々抜け防止機構を備えたことにより、より確実に留めることができる。また、カーテン縁を重ね留める中間クリップを用いることにより、より多様な形状にまとめることができ、カーテンを開ける時に、必要な位置に好きな形で留めることができる。
【発明を実施するための最良の形態】
【０００６】  以下、本発明の実施の形態を説明する。
本発明は、クリップと、クリップに挟みこまれ固定される被挟持片と、クリップと被挟持片を連結する連結紐とより構成される。また、必要に応じて、中間クリップを具備するものである。
クリップは一対の挟持片と軸（１０ａ）とバネ（１２ａ）から構成される。
挟持片は操作部（７ａ）と、操作部（７ａ）を延設して設けられ対向する挟持片の反対側に膨らんだ収納部（９）と収納部側先端に設けられた挟持部（８ａ）と、挟持片中間位置の両側片に設けられた一対の連結片（１１ａ）から構成されている。挟持部はクリップが綴じた状態で面接地するようになっている。また、一方の挟持片にはリング取りつけ穴（５ｂ）が設けられており、リング（６ｂ）が接続される。
この挟持片を図１，図３，図５、図６に示すように対向状態に配置し軸（１０ａ）を通して一体化する。この際、バネ（１２ａ）が中間に装着されており、これによりクリップは綴じる方向への力が及ぶようになっている。
被挟持片は、持ち手（１）と、被挟持部（２）とでなり、被挟持部（２）は斜め格子の溝（４）を入れ先端部分には少し厚みをもたせた隆起部（３）を設ける。また、持ち手（１）と被挟持部（２）との間にはリング取りつけ穴（５ａ）が設けられておりリング（６ａ）が接続される。
連結紐（１３）の両端はクリップ及び被挟持片に取り付けられたリング（６ａ）（６ｂ）にそれぞれ連結されている。
中間クリップは、一対の挟持片と、軸（１０ｂ）と、バネ（１２ｂ）から構成される。
挟持片は、挟持部（８ｂ）と操作部（７ｂ）と一対の連結片（１１ｂ）から構成されており挟持部（８ｂ）はカーテン縁幅に幅広くとりクリップが綴じた状態で面接地するようになっている。この挟持片を図２、図４に示すように対向状態に配置し軸（１０ｂ）を通して一体化する。この際、バネ（１２ｂ）が中間に装着されており、これによりクリップは綴じる方向への力が及ぶようになっている。
本発明は、以上の構成よりなっている。
本発明の使用方法について述べる。
図５に示すように、全体をまとめて留める場合は、カーテンをまとめたい位置でひとまとめにし、まとめたカーテンを連結紐（１３）でまとめ被挟持片をクリップで挟み留めておさえる。小さなカーテン等ですべり落ちる様な場合はカーテンの一部も一緒に挟み込む。
図６に示すように、一部分を留める場合は、カーテンをまとめたい位置でまとめたい量をひとまとめにし、被挟持片をまとめはじめるカーテンの位置にあて、クリップをまとめたカーテンの反対側に回し被挟持部（２）とカーテンが重なった状態のまま挟み留める。
被挟持片の被挟持部（２）とクリップの挟持部（８ａ）の先端を丸くしたことによりカーテン生地を痛めずにとめることができる。被挟持片の被挟持部（２）を細長くしたことでクリップを被挟持片の奥から先端まで幅をもたせて留めることができ、連結紐（１３）に収縮性を持たせることとあわせてカーテンの厚みやまとめて留めるカーテンの量の多少に対応できる。また、クリップの収納部（９）にふくらみを設けたことにより留め跡による皺も出来難くなる。
被挟持片とクリップのリング取りつけ穴（５ａ）（５ｂ）に各々リング（６ａ）（６ｂ）をつけたことにより連結紐（１３）も動きやすく、カーテンを縦横どちらの方向にまとめても対応しやすい。
図４に示すように、中間クリップは、二枚仕立てのように分かれているカーテンの縁を重ねた状態で挟持し、よりまとめたい形状にまとめることができ、挟持部（８ｂ）を縁幅に幅広くとったことによりしっかりと挟持できる。
被挟持片の被挟持部（２）、クリップの挟持部（８ａ）内側、中間クリップの挟持部（８ｂ）内側に入れた斜め格子の溝による抜け防止機構は、滑り止めになりまとめたい位置にしっかり留めておくことができる。
被挟持片の持ち手（１）、クリップの操作部（７ａ）、中間クリップの操作部（７ｂ）は、指先に合うように窪みのある楕円形にすることで扱いやすい。
この結果、一度にまとめて留める場合も一部分を留める場合も、必要な位置に好きな形にまとめて留めることができる。
なお、本発明の抜け防止機構としては、溝以外に防滑シートや凹凸のゴム利用等もあげられる。
【図面の簡単な説明】
【０００７】
【図１】本発明の斜視図
【図２】本発明の中間クリップの斜視図
【図３】本発明の被挟持片をクリップで挟持した状態を示す図
【図４】本発明の中間クリップの使用状態を示す図
【図５】本発明のカーテンの全部をまとめて留めた使用状態を示す図
【図６】本発明のカーテンの一部をまとめて留めた使用状態を示す図
【符号の説明】
【０００８】    １              持ち手
２              被挟持部
３              隆起部
４              溝
５ａ；５ｂ      リング取りつけ穴
６ａ；６ｂ      リング
７ａ；７ｂ      操作部
８ａ；８ｂ      挟持部
９              収納部
１０ａ；１０ｂ  軸
１１ａ；１１ｂ  連結片
１２ａ；１２ｂ  バネ
１３            連結紐
【図１】
2007007348.tif 000003
【図２】
2007007348.tif 000004
【図３】
2007007348.tif 000005
【図４】
2007007348.tif 000006
【図５】
2007007348.tif 000007
【図６】
2007007348.tif 000008